(57)【特許請求の範囲】
【請求項１】
近距離無線通信システムにおいて、
互いの間で少なくとも１つ以上の近距離無線通信による接続が可能な第１端末を含み、
前記第１端末は、第１の第２端末と近距離無線通信で接続した場合、前記第１の第２端末から共有設定された情報を受信、保存し、
前記第１端末は共有設定された情報を第２の第２端末と近距離無線通信で接続した場合、前記共有設定された情報を前記第２の第２端末に伝送し、
前記第２の第２端末は前記第１端末と近距離無線通信で接続した場合、前記第１端末から前記共有設定された情報を受信し、
前記第１、第２の第２端末は、その入力部および／又は出力部としてタッチスクリーンを使用する携帯端末、携帯電話、モバイルパッド、メディアプレーヤ、タブレットコンピュータ、ハンドヘルドコンピュータ、及びＰＤＡの内の１つであり、
前記第１端末は、タッチスクリーン用スタイラスペンであり、
前記共有設定された情報は、連絡先、ＵＲＬ、位置情報、及びマルチメディアアイテムのうちの少なくとも１つ以上を含み、
前記タッチスクリーン用スタイラスペンは、全般的な動作を制御するプログラムと制御動作が行われる時に入出力される各種データとを保存する保存部、及び全般的な動作を制御しデータを変復調する制御部を含み、
複数のボタン及びマイクを含み、ユーザが押すボタンに相応する入力データを前記制御部に出力し、ユーザ音声に対する音声データを前記制御部に出力する入力部をさらに含み、
ディスプレイ及びスピーカーを含み、前記第１の第２端末から受信した共有設定された情報を出力、又は前記制御部の制御下で共有設定された情報から復調した音声データおよび／または映像データを出力する出力部をさらに含み、
前記制御部は、前記共有設定された情報に関するリストを前記ディスプレイを介して出力し、前記入力部から発生した入力に基づいて、前記リストのうち前記第２の第２端末に送信する情報の共有を選択することを特徴とする近距離無線通信システム。
【請求項２】
前記第２の第２端末は、
前記第１端末から受信した前記共有設定された情報に対応する少なくとも１つ以上のプログラム又はプロセスを決定し、受信した前記共有設定された情報を前記決定した少なくとも１つ以上のプログラム又はプロセスを介して処理することを特徴とする請求項１に記載の近距離無線通信システム。
【請求項３】
前記第１端末は第１近距離無線通信を介して前記共有設定された情報に対するメタデータを前記第２の第２端末に伝送し、
前記第１端末又は第２の第２端末は前記メタデータから第２近距離無線通信による接続が必要であると判断した場合、前記第１端末と第２端末とは前記第１近距離無線通信による接続から前記第２近距離無線通信による接続に変更するか、又は、前記第２近距離無線通信による接続を追加し、
前記第１端末は前記第２近距離無線通信を介して前記共有設定された情報を前記第２の第２端末に伝送することを特徴とする請求項１に記載の近距離無線通信システム。
【請求項４】
前記第１端末は前記共有設定された情報に対するメタデータを前記第２の第２端末に伝送し、
前記第２の第２端末は前記メタデータから、前記第１端末から伝送され得る情報のリストを提示し、前記リストで伝送を希望する情報の選択をユーザに許可することを特徴とする請求項１に記載の近距離無線通信システム。
【請求項５】
前記第１端末は、
前記第２の第２端末に前記共有設定された情報の伝送を完了した場合、前記共有設定された情報の共有設定を解除するか、又は、前記共有設定された情報を削除することを特徴とする請求項１に記載の近距離無線通信システム。
【請求項６】
前記少なくとも１つ以上の近距離無線通信は、
ＮＦＣ、ブルートゥース（登録商標）及びワイファイダイレクト（登録商標）を含むことを特徴とする請求項１に記載の近距離無線通信システム。
【請求項７】
前記第１端末であるスタイラスペンの前記入力部は、前記スタイラスペンの一端部と前記ディスプレイとの間に配置される第１の入力要素と、前記スタイラスペンの他端に配置される第２の入力要素を含むことを特徴とする請求項１に記載の近距離無線通信システム。
【請求項８】
互いの間で少なくとも１つ以上の近距離無線通信による接続が可能な第１端末と複数の第２端末とを含む近距離無線通信システムの運用方法において、
前記第１端末は、第１の第２端末と近距離無線通信で接続した場合、前記第１の第２端末から共有された情報を受信、保存するステップと、
前記第１端末と第２の第２端末とを少なくとも１つ以上の近距離無線通信で接続した場合、前記第１端末が共有設定された情報を前記第２の第２端末に伝送するステップ、及び
前記第１端末と第２の第２端末とを少なくとも１つ以上の近距離無線通信で接続した場合、前記第２の第２端末が前記第１端末から前記共有設定された情報を受信するステップを含み、
前記第１、第２の第２端末は、その入力部および／又は出力部としてタッチスクリーンを使用する携帯端末、携帯電話、モバイルパッド、メディアプレーヤ、タブレットコンピュータ、ハンドヘルドコンピュータ、及びＰＤＡの内の１つであり、
前記第１端末は、タッチスクリーン用スタイラスペンであり、
前記共有設定された情報は、連絡先、ＵＲＬ、位置、及びマルチメディアアイテムのうちの少なくとも１つ以上を含み、
前記タッチスクリーン用スタイラスペンは、全般的な動作を制御するプログラムと制御動作が行われる時に入出力される各種データとを保存する保存部、及び全般的な動作を制御しデータを変復調する制御部を含み、
複数のボタン及びマイクを含み、ユーザが押すボタンに相応する入力データを前記制御部に出力し、ユーザ音声に対する音声データを前記制御部に出力する入力部をさらに含み、
ディスプレイ及びスピーカを含み、前記第１の第２端末から受信した共有設定された情報を出力、又は前記制御部の制御下で共有設定された情報から復調した音声データ及び／又は映像データを出力する出力部をさらに含み、
前記第１端末が共有設定された情報を前記第２の第２端末に送信するステップにおいて、前記制御部は、前記共有設定された情報に関するリストを前記ディスプレイを介して出力し、前記入力部から発生した入力に基づいて、前記リストのうち前記第２の第２端末に送信する情報の共有を選択することを特徴とする近距離無線通信システムの運用方法。
【請求項９】
前記第２の第２端末が前記第１端末から受信した前記共有設定された情報に対応する少なくとも１つ以上のプログラム又はプロセスを決定し、受信した前記共有設定された情報を前記決定した少なくとも１つ以上のプログラム又はプロセスを介して処理するステップをさらに含むことを特徴とする請求項８に記載の近距離無線通信システムの運用方法。
【請求項１０】
前記第１端末と第２の第２端末とを少なくとも１つ以上の近距離無線通信で接続した場合、前記第１端末が共有設定された情報を前記第２の第２端末に伝送するステップは、
前記第１端末が第１近距離無線通信を介して前記共有設定された情報に対するメタデータを前記第２の第２端末に伝送するステップと、
前記第１端末又は第２の第２端末が前記メタデータから第２近距離無線通信接続が必要であると判断した場合、前記第１端末と第２の第２端末とが前記第１近距離無線通信による接続から前記第２近距離無線通信による接続に変更するか、又は、前記第２近距離無線通信による接続を追加するステップと、
前記第１端末が前記第２近距離無線通信を介して前記共有設定された情報を前記第２の第２端末に伝送するステップと、を含む特徴とする請求項８に記載の近距離無線通信システムの運用方法。
【請求項１１】
前記第２の第２端末が前記第１端末から前記共有設定された情報に対するメタデータを受信し、受信したメタデータから前記第１端末から伝送され得る情報のリストを提示し、前記リストで伝送を希望する情報の選択権をユーザに与えるステップをさらに含むことを特徴とする請求項８に記載の近距離無線通信システムの運用方法。
【請求項１２】
前記第１端末が前記第２の第２端末に前記共有設定された情報の伝送を完了した場合、前記共有設定された情報の共有設定を解除するか、前記共有設定された情報を削除するステップをさらに含むことを特徴とする請求項８に記載の近距離無線通信システムの運用方法。
【請求項１３】
前記少なくとも１つ以上の近距離無線通信は、
ＮＦＣ、ブルートゥース（登録商標）及びワイファイダイレクト（登録商標）を含むことを特徴とする請求項８に記載の近距離無線通信システムの運用方法。
【請求項１４】
前記第１端末であるスタイラスペンの前記入力部は、前記スタイラスペンの一端部と前記ディスプレイとの間に配置される第１の入力要素と、前記スタイラスペンの他端に配置される第２の入力要素を含むことを特徴とする請求項８に記載の近距離無線通信システム。
【発明の詳細な説明】
【技術分野】
【０００１】
本発明は、近距離無線通信システムに関し、特に、２つの機器の間で近距離無線通信を利用して情報を共有できるシステム及びその運用方法に関する。
【背景技術】
【０００２】
近距離無線通信は近い距離で機器間のデータを交換することができるので、読み出しと書き込みによる双方向通信が可能になり、電子決済、チケッティング、ドアロック、製品認証など様々なサービス分野に適用されている。最近、近距離無線通信の活用度が高くなるに伴い、携帯端末にそれを適用する傾向が増加している。
【０００３】
一方、広範広大なマルチメディアが提供されることにより、携帯端末は高性能化しており、ユーザと携帯端末との間の相互作用を円滑にするユーザインタフェース（Ｕｓｅｒ  Ｉｎｔｅｒｆａｃｅ）がより重視される。
【０００４】
しかし、従来は近距離無線通信を利用して単にデータを交換することに留まっており、ユーザを満足させることができるユーザインタフェースを提供するシステム及びその運用方法が必要である。
【先行技術文献】
【特許文献】
【０００５】
【特許文献１】大韓民国公開特許公報Ｎｏ．１０−２０１０−００２４２０５
【発明の概要】
【発明が解決しようとする課題】
【０００６】
本発明の目的は、近距離無線通信を利用して情報を交換する場合、ユーザエクスペリエンス（Ｕｓｅｒ  ｅＸｐｅｒｉｅｎｃｅ、以下、ＵＸという）を改善するシステム及びその運用方法を提供することにある。
【０００７】
本発明のさらに他の目的は、第１端末と第２端末との間の情報交換を、近距離無線通信機能を持つスタイラスペンを介して行う近距離無線通信システム及びその運用方法を提供することにある。
本発明のさらに他の目的は、第１端末と第２端末とが近距離無線通信で接続される場合、第１端末の共有設定された情報が第２端末に伝送される近距離無線通信システム及びその運用方法を提供することにある。
【課題を解決するための手段】
【０００８】
前記課題を解決するための本発明の第１見地によれば、本発明は、近距離無線通信システムにおいて、互いの間で少なくとも１つ以上の近距離無線通信による接続が可能な第１端末を含み、前記第１端末は、第１の第２端末と近距離無線通信で接続した場合、前記第１の第２端末から共有設定された情報を受信、保存し、前記第１端末は共有設定された情報を第２の第２端末と近距離無線通信で接続した場合、前記共有設定された情報を前記第２の第２端末に伝送し、前記第２の第２端末は前記第１端末と近距離無線通信で接続した場合、前記第１端末から前記共有設定された情報を受信し、前記第１、第２の第２端末は、その入力部および／又は出力部としてタッチスクリーンを使用する携帯端末、携帯電話、モバイルパッド、メディアプレーヤ、タブレットコンピュータ、ハンドヘルドコンピュータ、及びＰＤＡの内の１つであり、前記第１端末は、タッチスクリーン用スタイラスペンであり、前記共有設定された情報は、連絡先、ＵＲＬ、位置情報、及びマルチメディアアイテムのうちの少なくとも１つ以上を含み、前記タッチスクリーン用スタイラスペンは、全般的な動作を制御するプログラムと制御動作が行われる時に入出力される各種データとを保存する保存部、及び全般的な動作を制御しデータを変復調する制御部を含み、複数のボタン及びマイクを含み、ユーザが押すボタンに相応する入力データを前記制御部に出力し、ユーザ音声に対する音声データを前記制御部に出力する入力部をさらに含み、ディスプレイ及びスピーカーを含み、前記第１の第２端末から受信した共有設定された情報を出力、又は前記制御部の制御下で共有設定された情報から復調した音声データおよび／または映像データを出力する出力部をさらに含み、前記制御部は、前記共有設定された情報に関するリストを前記ディスプレイを介して出力し、前記入力部から発生した入力に基づいて、前記リストのうち前記第２の第２端末に送信する情報の共有を選択することを特徴とする。
【００１０】
前記課題を解決するための本発明の第３見地によれば、本発明は、互いの間で少なくとも１つ以上の近距離無線通信による接続が可能な第１端末と複数の第２端末とを含む近距離無線通信システムの運用方法において、前記第１端末は、第１の第２端末と近距離無線通信で接続した場合、前記第１の第２端末から共有された情報を受信、保存するステップと、前記第１端末と第２の第２端末とを少なくとも１つ以上の近距離無線通信で接続した場合、前記第１端末が共有設定された情報を前記第２の第２端末に伝送するステップ、及び前記第１端末と第２の第２端末とを少なくとも１つ以上の近距離無線通信で接続した場合、前記第２の第２端末が前記第１端末から前記共有設定された情報を受信するステップを含み、前記第１、第２の第２端末は、その入力部および／又は出力部としてタッチスクリーンを使用する携帯端末、携帯電話、モバイルパッド、メディアプレーヤ、タブレットコンピュータ、ハンドヘルドコンピュータ、及びＰＤＡの内の１つであり、前記第１端末は、タッチスクリーン用スタイラスペンであり、前記共有設定された情報は、連絡先、ＵＲＬ、位置、及びマルチメディアアイテムのうちの少なくとも１つ以上を含み、前記タッチスクリーン用スタイラスペンは、全般的な動作を制御するプログラムと制御動作が行われる時に入出力される各種データとを保存する保存部、及び全般的な動作を制御しデータを変復調する制御部を含み、複数のボタン及びマイクを含み、ユーザが押すボタンに相応する入力データを前記制御部に出力し、ユーザ音声に対する音声データを前記制御部に出力する入力部をさらに含み、ディスプレイ及びスピーカを含み、前記第１の第２端末から受信した共有設定された情報を出力、又は前記制御部の制御下で共有設定された情報から復調した音声データ及び／又は映像データを出力する出力部をさらに含み、前記第１端末が共有設定された情報を前記第２の第２端末に送信するステップにおいて、前記制御部は、前記共有設定された情報に関するリストを前記ディスプレイを介して出力し、前記入力部から発生した入力に基づいて、前記リストのうち前記第２の第２端末に送信する情報の共有を選択することを特徴とする。
【発明の効果】
【００１１】
第１端末と第２端末とが近距離無線通信で接続される場合、第１端末の共有設定された情報を前記第２端末に伝送する際に、ユーザはタッチスクリーン又はスタイラスペンを介して行うことができるので、改善されたＵＸを導くことができる。
【図面の簡単な説明】
【００１２】
【図１】本発明の一実施形態による近距離無線通信システムの構成を示す図である。
【図２】本発明の一実施形態による近距離無線通信システムの構成を示す図である。
【図３】本発明の一実施形態による携帯端末のブロック構成図である。
【図４】本発明の一実施形態による近距離無線通信システムの通信フローチャートである。
【図５】本発明の一実施形態による近距離無線通信システムの構成を示す図である。
【図６】本発明の一実施形態によるスタイラスペンを示す図である。
【図７】本発明の一実施形態によるスタイラスペンのブロック構成図である。
【図８】本発明の一実施形態による近距離無線通信システムの通信フローチャートである。
【図９】本発明の一実施形態による近距離無線通信システムの通信フローチャートである。
【図１０】本発明の一実施形態によるユーザインタフェース画面である。
【図１１】本発明の一実施形態によるユーザインタフェース画面である。
【図１２】本発明の一実施形態によるユーザインタフェース画面である。
【図１３】本発明の一実施形態によるユーザインタフェース画面である。
【図１４】本発明の一実施形態によるユーザインタフェース画面である。
【図１５】本発明の一実施形態によるユーザインタフェース画面である。
【図１６】本発明の一実施形態によるユーザインタフェース画面である。
【図１７】本発明の一実施形態によるユーザインタフェース画面である。
【発明を実施するための形態】
【００１３】
以下、本発明の好ましい実施形態を添付された図面を参照して詳細に説明する。そして、本発明を説明するに当たって、関連する公知機能または構成に対する具体的な説明が本発明の要旨を却って不明確にする恐れがあると判断される場合、その詳細な説明を省略する。そして、後述される用語は、本発明における機能を考慮して定義された用語であって、これはユーザ、運用者の意図または慣例などに応じて異なることがある。したがって、その定義は本明細書全般にわたる内容に基づいて行われるべきである。
【００１４】
本発明は、近距離無線通信を利用して情報を交換する場合、ユーザエクスペリエンス（Ｕｓｅｒ  ｅＸｐｅｒｉｅｎｃｅ、以下、ＵＸという）を改善できるシステム及びその運用方法に関する。本発明の一実施形態では、第１端末と第２端末とが近距離無線通信で接続される場合、前記第１端末の共有設定された情報を前記第２端末に伝送する。前記第１端末にタッチスクリーンを適用する場合、ユーザは共有しようとする情報をタッチで決めることができる。
本発明の一実施形態では、第１端末と第２端末との間の情報交換を、スタイラスペンを介して行うことができる。前記スタイラスペンは近距離無線通信、例えば、ＮＦＣ（Ｎｅａｒ  Ｆｉｅｌｄ  Ｃｏｍｍｕｎｉｃａｔｉｏｎ）機能を有する。さらに、前記スタイラスペンは情報を保存する要素、相手端末からの情報受信と他の端末への情報送信とを制御する要素を含む。このような本発明は近距離無線通信を利用して機器の間で情報を交換する場合、改善されたＵＸを導くことができる。
【００１５】
図１及び図２は、本発明の一実施形態による近距離無線通信システムの構成を示す。
図１及び図２を参照すると、前記近距離無線通信システムは近距離無線通信が可能な第１端末１００と第２端末２００、３００とを含む。第１端末１００と第２端末２００、３００とは近づいて互いを認識して近距離無線通信で接続される場合、第１端末１００の予め決められた情報は第２端末２００、３００に伝送される。第１端末１００にタッチスクリーンを適用する場合、ユーザは共有しようとする情報、例えば、写真、動画、ＵＲＬ、連絡先などをタッチで決めることができる。第１端末１００と第２端末２００、３００とが近距離無線通信で接続される場合、第１端末１００の共有設定された情報は自動的に又はユーザの決定を経て第２端末２００、３００に伝送される。第２端末２００、３００は第１端末１００から受信した情報を処理するプログラム又はプロセスを進めるが、例えば、第２端末２００、３００は画像ビューアを実行して受信した写真ファイルを閲覧する。
【００１６】
図３は、本発明の一実施形態による端末のブロック構成図である。
図３を参照すると、第１端末１００、第２端末２００、３００は各々、入力部２０１、出力部２０３、カメラ部２０５、保存部２０７、近距離無線通信インタフェース部２０９、セルラー通信インタフェース部２１１及び制御部２１３を含む。以下の説明で第１端末１００、第２端末２００、３００は各々、携帯端末、携帯電話、モバイルパッド、メディアプレーヤ、タブレットコンピュータ、ハンドヘルドコンピュータ及びＰＤＡの何れかを含み、以下の説明は上記の一般的な構成を用いて説明する。
【００１７】
入力部２０１は複数のボタンから構成され、ユーザが押すボタンに相応する入力データを制御部２１３に出力する。さらに、入力部２０１はマイクを含み、ユーザ音声に対応する音声データを制御部２１３に出力する。制御部２１３は前記マイクから提供される音声データを変調する。
【００１８】
出力部２０３はディスプレイとスピーカから構成され、制御部２１３の制御下に映像又は音声を出力する。制御部２１３は映像データを復調して出力部２０３に出力し、音声データを復調して出力部２０３に出力する。
【００１９】
カメラ部２０５は被写体を撮像して映像データを生成し、それを制御部２１３に出力する。制御部２１３はカメラ部２０５から提供される映像データを変調する。
【００２０】
保存部２０７は第１端末１００、第２端末２００、３００の各々の全般的な動作を制御するプログラムと、前記端末の制御動作が行われる時に入出力される各種データを保存する。
【００２１】
近距離無線通信インタフェース部２０９は近距離無線通信、例えば、ＮＦＣ、ブルートゥース（登録商標）、ワイファイダイレクト（登録商標）などのための機械的、電気的及びソフトウェア的な構成を有し、相手機器とデータを交換する。
【００２２】
セルラー通信インタフェース部２１１はセルラー通信のための機械的、電気的及びソフトウェア的な構成を有し、アンテナを介して受信されるＲＦ信号の周波数を下降変換（ｄｏｗｎ−ｃｏｎｖｅｒｔ）して制御部２１３に提供し、制御部２１３からの基底帯域信号の周波数を上昇変換（ｕｐ−ｃｏｎｖｅｒｔ）して前記アンテナを介して送信する。
【００２３】
制御部２１３は第１、第２端末１００、２００、３００の全般的動作を制御し、本発明の動作を処理及び制御する。
【００２４】
図４は、本発明の一実施形態による近距離無線通信システムの通信フローチャートである。
図４を参照すると、ユーザは第１端末１００で共有しようとする情報を決定する（ステップ３０１）。第１端末１００と第２端末２００、３００とは近づいて近距離無線通信で接続される場合（ステップ３０３）、第１端末１００は決められた共有情報の伝送（受信）を第２端末２００、３００に要求する（ステップ３０５）。ユーザは第２端末２００、３００への情報伝送を受諾し（ステップ３０７）、第２端末２００、３００は第１端末１００に応答する（ステップ３０９）。第１端末１００は第２端末２００、３００に共有情報を伝送し（ステップ３１１）、第２端末２００、３００は第１端末１００から共有情報を受信及び保存する（ステップ３１３）。共有情報の受信が完了した場合、第２端末２００、３００はそれを第１端末１００に通報（応答）し（ステップ３１５）、第１端末１００は前記応答に対する処理を行う（ステップ３１７）。例えば、第１端末１００は前記共有情報の共有設定を解除する。第２端末２００、３００は受信した共有情報を処理するプログラム又はプロセスを進める（ステップ３１９）。例えば、第２端末２００、３００は画像ビューアを実行して受信した写真ファイルを閲覧する。
【００２５】
図５は、本発明の一実施形態による近距離無線通信システムの構成を示す図である。
図５を参照すると、前記近距離無線通信システムは第１端末１００、第２端末２００及びスタイラスペン４００を含む。第１端末１００、第２端末２００及びスタイラスペン４００は近距離無線通信機能を備える。スタイラスペン４００はタッチスクリーンで位置を指定する用途に用いられる。
【００２６】
ユーザは第１端末１００のタッチスクリーンでスタイラスペン４００を使用して共有しようとする情報を決定する。第１端末１００は決められた共有情報をスタイラスペン４００に伝送し、スタイラスペン４００は第１端末１００から前記共有情報を受信及び保存する。
【００２７】
スタイラスペン４００と第２端末２００とは近づいて互いを認識して近距離無線通信で接続され、スタイラスペン４００は自動的に又はユーザの決定を経て保存している前記共有情報を第２端末２００に伝送する。第２端末２００はスタイラスペン４００から受信した共有情報を処理するプログラム又はプロセスを進める。
【００２８】
図６は、本発明の一実施形態によるスタイラスペンを示す。
図６を参照すると、スタイラスペン４００は一般的なペン形状を有し、少なくとも、入力要素４１、４２、ディスプレイ４３、スピーカ４４、マイク４５、メモリ（図示せず）、電力供給要素（図示せず）及び制御要素（図示せず）を含む。さらに、スタイラスペン４００は相手端末に伝送する共有情報を前記メモリに保存し、保存された共有情報に関する事項を、ディスプレイ４３を介してユーザに示し、前記共有情報の選択、伝送などの制御信号を入力要素４１、４２を介してユーザから入力を受ける。また、スタイラスペン４００は前記メモリに保存されたオーディオファイルを、スピーカ４４を介して再生できる。さらに、スタイラスペン４００は端末と近距離無線通信を行い、前記端末から伝送されるオーディオデータ又は映像データを復調してディスプレイ４３、スピーカ４４に出力できる。さらに、スタイラスペン４００は端末と近距離無線通信を行い、マイク４５で入力されたオーディオデータを前記端末に伝送できる。このような構成により、スタイラスペン４００は例えば、端末のブルートゥース通話に用いられ得る。前記制御要素はスタイラスペン４００の全般的な動作を制御し、本発明に係るスタイラスペン４００の動作を処理及び制御する。
【００２９】
図７は、本発明の一実施形態によるスタイラスペンのブロック構成図である。
図７を参照すると、スタイラスペン４００は入力部４０１、出力部４０３、保存部４０５、近距離無線通信インタフェース部４０７及び制御部４０９を含む。
【００３０】
入力部４０１は複数のボタンから構成され、ユーザが押すボタンに相応する入力データを制御部４０９に出力する。さらに、入力部４０１はマイクを含み、ユーザ音声に対応する音声データを制御部４０９に出力する。制御部４０９は前記マイクから提供される音声データを変調する。
【００３１】
出力部４０３はディスプレイとスピーカから構成され、制御部４０９の制御下に映像又は音声を出力する。制御部４０９は映像データを復調して出力部４０３に出力し、音声データを復調して出力部４０３に出力する。
【００３２】
保存部４０５はスタイラスペン４００の全般的な動作を制御するプログラムと、スタイラスペン４００の制御動作が行われる時に入出力される各種データを保存する。
【００３３】
近距離無線通信インタフェース部４０７は近距離無線通信、例えば、ＮＦＣ、ブルートゥース（登録商標）、ワイファイダイレクト（登録商標）などのための機械的、電気的及びソフトウェア的な構成を有し、相手機器とデータを交換する。
【００３４】
制御部４０９はスタイラスペン４００の全般的動作を制御し、本発明の動作を処理及び制御する。
【００３５】
図８は、本発明の一実施形態による近距離無線通信システムの通信フローチャートである。
図８を参照すると、第１端末１００とスタイラスペン４００は近距離無線通信で接続され（ステップ５０１）、ユーザは第１端末１００のタッチスクリーンでスタイラスペン４００を用いて共有情報を決定する（ステップ５０３）。第１端末１００は決められた共有情報の伝送（受信）をスタイラスペン４００に要求する（ステップ５０５）。スタイラスペン４００は共有情報の伝送（受信）要求に応答し（ステップ５０７）、第１端末１００はスタイラスペン４００に共有情報を伝送する（ステップ５０９）。スタイラスペン４００は第１端末１００から共有情報を受信及び保存し（ステップ５１１）、共有情報の受信の完了を第１端末１００に通報（応答）する（ステップ５１３）。第１端末１００は前記通報に対する処理を行う（ステップ５１４）。例えば、第１端末１００は前記共有情報の決定を解除する。
【００３６】
スタイラスペン４００と第２端末２００、３００とは近距離無線通信で接続され（ステップ５１５）、スタイラスペン４００は決められた共有情報の伝送（受信）を第２端末２００、３００に要求する（ステップ５１７）。ユーザは第２端末２００、３００への情報伝送を受諾し（ステップ５１９）、第２端末２００、３００は共有情報の伝送要求に対して応答する（５２１ステップ）。スタイラスペン４００は第２端末２００、３００に共有情報を伝送する（ステップ５２３）。第２端末２００、３００はスタイラスペン４００から共有情報を受信及び保存し（ステップ５２５）、共有情報の受信の完了をスタイラスペン４００に通報（応答）する（ステップ５２７）。スタイラスペン４００は前記通報に対する処理を行う（ステップ５２９）。例えば、スタイラスペン４００は前記共有情報を削除する。第２端末２００、３００は受信した共有情報を処理するプログラム又はプロセスを進めるが、それに関する実施形態は下記図面を参照して説明する。
【００３７】
図９は、本発明の一実施形態による近距離無線通信システムの通信フローチャートである。
図９を参照すると、第１端末１００又はスタイラスペン４００は第２端末２００、３００とＮＦＣ（Ｎｅａｒ  Ｆｉｅｌｄ  Ｃｏｍｍｕｎｉｃａｔｉｏｎ）で接続され（ステップ６０１）、第１端末１００又はスタイラスペン４００は第２端末２００、３００に共有情報の伝送（受信）を要求する（ステップ６０３）。ユーザは共有情報の伝送（受信）を受諾し（ステップ６０５）、第２端末２００、３００は共有情報の伝送（受信）要求に応答する（ステップ６０７）。第１端末１００又はスタイラスペン４００は第２端末２００、３００に共有情報のメタデータを伝送する（ステップ６０９）。第２端末２００、３００は第１端末１００又はスタイラスペン４００からメタデータを受信及び保存し（ステップ６１１）、メタデータ受信の完了を第１端末１００又はスタイラスペン４００に通報（応答）する（ステップ６１３）。第２端末２００、３００は受信したメタデータを処理するプログラム又はプロセスを進める（ステップ６１５）。例えば、共有情報の内容、形式、権利条件、作成者情報などをユーザに提示する。第１端末１００、スタイラスペン４００及び第２端末２００、３００のうち少なくとも１つは前記メタデータからブルートゥース（Ｂｌｕｅｔｏｏｔｈ(登録商標)）又はワイファイダイレクト（ＷｉＦｉ  Ｄｉｒｅｃｔ、登録商標）接続が必要であるかを決定する。共有情報の量が膨大な場合、予め接続されたＮＦＣを介してデータを伝送することは無理があるので、ＮＦＣより大きい伝送速度を有するブルートゥース（登録商標）又はワイファイダイレクト（登録商標）を用いることを考慮する。ブルートゥース（登録商標）又はワイファイダイレクト（登録商標）接続が不要な場合、予め接続されたＮＦＣを用いて図４及び図８で前述した過程に従う。ブルートゥース（登録商標）又はワイファイダイレクト（登録商標）接続が必要な場合（ステップ６１７）、第１端末１００又はスタイラスペン４００と第２端末２００、３００は認証を経てブルートゥース（登録商標）又はワイファイダイレクト（登録商標）で接続される（ステップ６１９）。第１端末１００又はスタイラスペン４００は共有情報を第２端末２００、３００に伝送する（ステップ６２１）。第２端末２００、３００は第１端末１００又はスタイラスペン４００から共有情報を受信及び保存し（ステップ６２３）、共有情報の受信の完了を第１端末１００又はスタイラスペン４００に通報する（ステップ６２５）。第１端末１００又はスタイラスペン４００は前記通報に対する処理を行う（ステップ６２７）。例えば、前記共有情報を削除する。第２端末２００、３００は受信した共有情報を処理するプログラム又はプロセスを進めるが、それに関する実施形態は下記図面を参照して説明する。
【００３８】
図１０は、本発明の一実施形態によるユーザインタフェース画面を示す。
図１０を参照すると、ユーザは第１端末１００のタッチスクリーン上の連絡先リストでスタイラスペン４００を用いて少なくとも１つ以上の連絡先をタッチする。第１端末１００はスタイラスペン４００でタッチされた連絡先情報をＮＦＣ、ブルートゥース（登録商標）、ワイファイダイレクト（登録商標）のうち少なくとも１つ以上を用いてスタイラスペン４００に伝送し、スタイラスペン４００は第１端末１００から前記連絡先情報を受信及び保存する。ユーザがスタイラスペン４００を用いて第２端末２００のタッチスクリーンをタッチした場合、スタイラスペン４００は第１端末１００から受信して保存した連絡先情報をＮＦＣ、ブルートゥース（登録商標）、ワイファイダイレクト（登録商標）のうち少なくとも１つ以上を用いて第２端末２００に伝送する。第２端末２００はスタイラスペン４００から連絡先情報を受信して受信した連絡先情報を処理するプログラム又はプロセスを進める。例えば、連絡先の登録、通話などを進める。
【００３９】
図１１は、本発明の一実施形態によるユーザインタフェース画面を示す。
図１１を参照すると、ユーザは第１端末１００のタッチスクリーン上の音楽リストでスタイラスペン４００を用いて少なくとも１つ以上の音楽ファイルをタッチする。第１端末１００はタッチされた音楽ファイルをＮＦＣ、ブルートゥース（登録商標）、ワイファイダイレクト（登録商標）のうち少なくとも１つ以上を用いてスタイラスペン４００に伝送し、スタイラスペン４００は第１端末１００から前記音楽ファイルを受信及び保存する。ユーザがスタイラスペン４００を用いて第２端末２００のタッチスクリーンをタッチした場合、スタイラスペン４００は第１端末１００から受信して保存した音楽ファイルをＮＦＣ、ブルートゥース（登録商標）、ワイファイダイレクト（登録商標）のうち少なくとも１つ以上を用いて第２端末２００に伝送する。第２端末２００はスタイラスペン４００から音楽ファイルを受信して受信した音楽ファイルを処理するプログラム又はプロセスを進める。例えば、再生リストへの追加、音楽再生プログラムによる再生などを進める。
【００４０】
図１２は、本発明の一実施形態によるユーザインタフェース画面を示す。
図１２を参照すると、ユーザは第１端末１００のタッチスクリーン上の画像サムネイルでスタイラスペン４００を用いて少なくとも１つ以上の写真ファイルをタッチする。第１端末１００はタッチされた写真ファイルをＮＦＣ、ブルートゥース（登録商標）、ワイファイダイレクト（登録商標）のうち少なくとも１つ以上を用いてスタイラスペン４００に伝送し、スタイラスペン４００は第１端末１００から写真ファイルを受信及び保存する。ユーザがスタイラスペン４００を用いて第２端末２００のタッチスクリーンをタッチした場合、スタイラスペン４００は第１端末１００から受信して保存した写真ファイルをＮＦＣ、ブルートゥース（登録商標）、ワイファイダイレクト（登録商標）のうち少なくとも１つ以上を用いて第２端末２００に伝送する。第２端末２００はスタイラスペン４００から写真ファイルを受信して受信した写真ファイルを処理するプログラム又はプロセスを進める。例えば、画像ビューアを介して受信した写真ファイルを閲覧する。
【００４１】
図１３は、本発明の一実施形態によるユーザインタフェース画面を示す。
図１３を参照すると、ユーザは第１端末１００のタッチスクリーン上の電子マップでスタイラスペン４００を用いて位置を指定する。第１端末１００は指定された前記位置情報をＮＦＣ、ブルートゥース（登録商標）、ワイファイダイレクト（登録商標）のうち少なくとも１つ以上を用いてスタイラスペン４００に伝送し、スタイラスペン４００は受信した位置情報を保存する。ユーザがスタイラスペン４００を用いて第２端末２００のタッチスクリーンをタッチした場合、スタイラスペン４００は第１端末１００から受信して保存した位置情報をＮＦＣ、ブルートゥース（登録商標）、ワイファイダイレクト（登録商標）のうち少なくとも１つ以上を用いて第２端末２００に伝送する。第２端末２００はスタイラスペン４００から位置情報を受信して受信した位置情報を処理するプログラム又はプロセスを進める。例えば、電子マップによる位置探索を進める。
【００４２】
図１４は、本発明の一実施形態によるユーザインタフェース画面を示す。
図１４を参照すると、ユーザは第１端末１００のタッチスクリーン上のウェブページをスタイラスペン４００を用いてタッチする。第１端末１００は前記ウェブページのＵＲＬ（Ｕｎｉｆｏｒｍ  Ｒｅｓｏｕｒｃｅ  Ｌｏｃａｔｏｒ）をＮＦＣ、ブルートゥース（登録商標）、ワイファイダイレクト（登録商標）のうち少なくとも１つ以上を用いてスタイラスペン４００に伝送し、スタイラスペン４００は第１端末１００からＵＲＬを受信及び保存する。ユーザがスタイラスペン４００を用いて第２端末２００のタッチスクリーンをタッチした場合、スタイラスペン４００は第１端末１００から受信して保存したＵＲＬをＮＦＣ、ブルートゥース（登録商標）、ワイファイダイレクト（登録商標）のうち少なくとも１つ以上を用いて第２端末２００に伝送する。第２端末２００はスタイラスペン４００からＵＲＬを受信して受信したＵＲＬを処理するプログラム又はプロセスを進める。例えば、ウェブビューアを介して前記ＵＲＬに接続する。
【００４３】
図１５は、本発明の一実施形態によるユーザインタフェース画面を示す。
図１５を参照すると、ユーザは第１端末１００のタッチスクリーン上のウェブページでスタイラスペン４００を用いてマルチメディアアイテム、例えば、画像、テキストなどをタッチする。第１端末１００はタッチされたマルチメディアアイテムをサーバからダウンロードし、ダウンロードしたマルチメディアアイテムをＮＦＣ、ブルートゥース（登録商標）、ワイファイダイレクト（登録商標）のうち少なくとも１つ以上を用いてスタイラスペン４００に伝送する。スタイラスペン４００は第１端末１００からマルチメディアアイテムを受信及び保存する。ユーザがスタイラスペン４００を用いて第２端末２００のタッチスクリーンをタッチした場合、スタイラスペン４００は第１端末１００から受信して保存したマルチメディアアイテムをＮＦＣ、ブルートゥース（登録商標）、ワイファイダイレクト（登録商標）のうち少なくとも１つ以上を用いて第２端末２００に伝送する。第２端末２００はスタイラスペン４００からマルチメディアアイテムを受信して受信したマルチメディアアイテムを処理するプログラム又はプロセスを進める。例えば、テキストビューア、画像ビューアなどを介して前記マルチメディアアイテムを閲覧する。
【００４４】
図１６は、本発明の一実施形態によるユーザインタフェース画面を示す。
図１６を参照すると、ユーザは第１端末１００のタッチスクリーン上の音楽リストでスタイラスペン４００を用いて複数の音楽ファイルをタッチする。第１端末１００はタッチされた音楽ファイルをＮＦＣ、ブルートゥース（登録商標）、ワイファイダイレクト（登録商標）のうち少なくとも１つ以上を用いてスタイラスペン４００に伝送し、スタイラスペン４００は第１端末１００から音楽ファイルを受信及び保存する。ユーザがスタイラスペン４００を用いて第２端末２００のタッチスクリーンをタッチした場合、スタイラスペン４００は第１端末１００から受信して保存した音楽ファイルをＮＦＣ、ブルートゥース（登録商標）、ワイファイダイレクト（登録商標）のうち少なくとも１つ以上を用いて第２端末２００に伝送する。前述のように、スタイラスペン４００は第２端末２００に音楽ファイルなどのメタデータを優先的に伝送できるので、第２端末２００は前記メタデータを処理してスタイラスペン４００から伝送され得る音楽ファイルのリストをユーザに提示する。ユーザは前記リストで伝送を希望する音楽ファイルを選択する。第２端末２００はユーザが選択した音楽ファイルを伝送するようにスタイラスペン４００に要求し、スタイラスペン４００から該当音楽ファイルが選択的に伝送される。
【００４５】
図１７は、本発明の一実施形態によるユーザインタフェース画面を示す。
図１７を参照すると、ユーザがスタイラスペン４００を用いて第２端末２００のタッチスクリーンをタッチした場合、スタイラスペン４００は予め保存している情報のメタデータをＮＦＣ、ブルートゥース（登録商標）、ワイファイダイレクト（登録商標）のうち少なくとも１つ以上を用いて第２端末２００に伝送する。第２端末２００は前記メタデータを処理してスタイラスペン４００が提供する情報をリストに生成してそれをユーザに提示する。ユーザは前記リストで伝送を希望する情報を選択する。第２端末２００はユーザから選択された情報を伝送するようにスタイラスペン４００に要求し、スタイラスペン４００から該当情報を伝送される。
【００４６】
結局、ユーザは本発明の一実施形態による近距離無線通信システム及びその運用方法を直・間接的に利用することにより、手順上の満足感だけでなく全般的に知覚可能なあらゆる面において価値ある経験を提供され得る。
【００４７】
一方、本発明を実施するための形態では具体的な実施形態に関して説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【符号の説明】
【００４８】
４１、４２    入力要素
４３    ディスプレイ
４４    スピーカ
４５    マイク
１００    第１端末
２００、３００    第２端末
２０１    入力部
２０３    出力部
２０５    カメラ部
２０７    保存部
２０９    近距離無線通信インタフェース部
２１１    セルラー通信インタフェース部
２１３    制御部
４００    スタイラスペン
４０１    入力部
４０３    出力部
４０５    保存部
４０７    近距離無線通信インタフェース部
４０９    制御部
【図１】
0006356945.tif 000002
【図２】
0006356945.tif 000003
【図３】
0006356945.tif 000004
【図４】
0006356945.tif 000005
【図５】
0006356945.tif 000006
【図６】
0006356945.tif 000007
【図７】
0006356945.tif 000008
【図８】
0006356945.tif 000009
【図９】
0006356945.tif 000010
【図１０】
0006356945.tif 000011
【図１１】
0006356945.tif 000012
【図１２】
0006356945.tif 000013
【図１３】
0006356945.tif 000014
【図１４】
0006356945.tif 000015
【図１５】
0006356945.tif 000016
【図１６】
0006356945.tif 000017
【図１７】
0006356945.tif 000018